(57)【要約】【課題】夜間や暗い箇所で、使用者が錠を容易に開けられること。【解決手段】錠の本体の一側に設けられた収容空間内に発光装置が取付けてあり、電源を開閉するためのスイッチに前記発光装置を電気的に接続させ、前記収容空間の一側壁には貫通孔が開設してあり、前記収容空間内には止めリブが二つ凸設してあり、前記止めリブの間には円弧形状の滑り通路が形成してあり、前記収容空間の貫通孔と滑り通路との間に仕切りブロックが凸設してあり、前記仕切りブロックにより通路が形成され、発光体の二つの端子は、前記通路を通して滑り通路まで伸び、且つ前記通路に定位され、前記滑り通路内にスイッチの中空なケースが収容され、押えレバーが収容空間をカバーするカバーに開設された長孔から外部に突出することを特徴とする。【選択図】図１
0003117676.tif 000002
【実用新案登録請求の範囲】
【請求項１】
錠の本体の一側に収容空間が設けてあり、
前記収容空間内に発光装置が取付けてあり、
電源を開閉するためのスイッチに前記発光装置を電気的に接続させることを特徴とする、
錠用発光構造。
【請求項２】
前記収容空間の一側壁には貫通孔が開設してあり、前記収容空間内には止めリブが二つ凸設してあり、前記止めリブの間には円弧形状の滑り通路が形成してあり、前記収容空間の貫通孔と滑り通路との間に仕切りブロックが凸設してあり、前記仕切りブロックにより通路が形成され、発光体の二つの端子は、前記通路を通して滑り通路まで伸び、且つ前記通路に定位され、前記滑り通路内にスイッチの中空なケースが収容され、前記ケース内に電源体が設けてあり、また、前記ケースの底面には発光体の一つの端子を挿入して設けるための矩形孔が設けてあり、前記端子が電源体の一つの電極と接触し、また、発光体の他の端子が電源体の他の電極に当接し、前記ケースの上面に押えレバーが設けてあり、前記押えレバーが収容空間をカバーするカバーに開設された長孔から外部に突出することを特徴とする、請求項１に記載の錠用発光構造。
【請求項３】
前記カバーにある長孔の壁面には押えレバーを安定に定位するための突起が設けてあり、前記突起により長孔の上側に制限空間が形成されたことを特徴とする、請求項２に記載の錠用発光構造。
【考案の詳細な説明】
【技術分野】
【０００１】
本考案は、錠用発光構造に係り、特に、夜間や暗い箇所で、錠に設けた発光装置により射出された光線によって、使用者は錠を容易に開けることができる錠用発光構造に関するものである。
【背景技術】
【０００２】
錠は、日常生活に広汎に使用され、その発展および使用は人間の体と財産とを守り、社会の発展と科学技術の進歩とに従って、錠の機能がどんどん良くなり、設計が日進月歩になっており、製品の精度が向上になり、応用される範囲がどんどん広汎になっている。
【考案の開示】
【考案が解決しようとする課題】
【０００３】
しかしながら、夜間や暗い箇所で、使用者は鍵を鍵穴に挿入することが困難であり、殊に錠が番号錠である場合には、錠にある番号を識別することがもっとも難しかった。
【課題を解決するための手段】
【０００４】
上記課題を解決するためになされた本願の考案は、錠の本体の一側に収容空間が設けてあり、前記収容空間内に発光装置が取付けてあり、電源を開閉するためのスイッチに前記発光装置を電気的に接続させることを特徴とする錠用発光構造であることを要旨としている。
【０００５】
本願の考案では、前記収容空間の一側壁には貫通孔が開設してあり、前記収容空間内には止めリブが二つ凸設してあり、前記止めリブの間には円弧形状の滑り通路が形成してあり、前記収容空間の貫通孔と滑り通路との間に仕切りブロックが凸設してあり、前記仕切りブロックにより通路が形成され、発光体の二つの端子は、前記通路を通して滑り通路まで伸び、且つ前記通路に定位され、前記滑り通路内にスイッチの中空なケースが収容され、前記ケース内に電源体が設けてあり、また、前記ケースの底面には発光体の一つの端子を挿入して設けるための矩形孔が設けてあり、前記端子が電源体の一つの電極と接触し、また、発光体の他の端子が電源体の他の電極に当接し、前記ケースの上面に押えレバーが設けてあり、前記押えレバーが収容空間をカバーするカバーに開設された長孔から外部に突出することを特徴とする請求項１に記載の錠用発光構造であることを要旨としている。
【０００６】
本願の考案では、前記カバーにある長孔の壁面には押えレバーを安定に定位するための突起が設けてあり、前記突起により長孔の上側に制限空間が形成されたことを特徴とする請求項２に記載の錠用発光構造であることを要旨としている。
【考案の効果】
【０００７】
本考案に係る錠用発光構造によれば、夜間や暗い箇所で、錠に設けた発光装置により射出された光線によって、使用者は錠を容易に開けることができる。
【考案を実施するための最良の形態】
【０００８】
以下、添付図面を参照して本考案の好適な実施の形態を詳細に説明する。
【０００９】
まず、図１を参照する。本考案に係る錠用発光構造は、錠（番号錠を例にして説明）の本体１の一側に収容空間１１が設けてある。前記収容空間１１の一側壁には貫通孔１１１が開設してある。収容空間１１内に取付けられた発光装置２の発光体２１で発生した光線が前記貫通孔１１１から外部に射出する。前記収容空間１１内には止めリブ１２が二つ凸設してある。前記止めリブ１２の間には円弧形状の滑り通路１３が形成してある。前記収容空間１１の貫通孔１１１と滑り通路１３との間に仕切りブロック１４が凸設してある。前記仕切りブロック１４により通路１４１が二つ形成されている。発光体２１の二つの端子２１１，２１２は、前記通路１４１を通して滑り通路１３まで伸び、且つ前記通路１４１に定位される。前記滑り通路１３内にスイッチ３の円筒形状のケース３１が収容される。前記ケース３１の外周縁が滑り通路１３の円弧形状の曲面と合わせている。前記ケース３１内に電源体２２が設けてある。また、前記ケース３１の底面には発光体２１の一つの端子２１１を挿入して設けるための矩形孔３１２が設けてある。前記端子２１１が電源体２２の一つの電極と接触し、また、発光体２１の他の端子２１２が電源体２２の他の電極に当接すると、電気回路が形成される。また、前記ケース３１の上面に押えレバー３１３が設けてある。前記押えレバー３１３が収容空間１１をカバーするカバー４に開設された長孔４１から外部に突出する。前記カバー４にある長孔４１の壁面には押えレバー３１３を安定に定位するための突起４１１が設けてある。前記突起４１１により長孔４１の上側に制限空間４１２が形成されている。
【００１０】
この設計により、光線が充分である場合には、図１と図２に示すように、スイッチ３の押えレバー３１３をカバー４にある長孔４１の制限空間４１２の他端に押さえ、このとき、スイッチ３のケース３１が押えレバー３１３に連動されて滑り通路１３の円弧形状の曲面でスライドする。そうすると、ケース３１の底側の矩形孔３１２に挿入された発光体２１にある端子２１１がケース３１の外周縁に圧迫されて矩形孔３１２から徐々に脱出し、前記発光体２１にある端子２１１が電源体２２の一つの電極と接触しなくなる。このとき、発光体２１は発光しなくなる。
【００１１】
また、夜間や暗い箇所で、使用者は錠を開けられない場合には、図１と図３に示すように、使用者はスイッチ３の押えレバー３１３を制限空間４１２まで押える。このとき、前記押えレバー３１３と接続したスイッチ３にあるケース３１の発光体２１にある端子２１１に対する圧迫が徐々に解除され、端子２１１自体の弾性回復力により、前記端子２１１はケース３１にある矩形穴３１２にもう一度挿入して電源体２２の電極と接触させる。このとき、発光体２１は発光し、この光線により、使用者は錠を容易に開けることができる。
【００１２】
また、本考案は、夜間や暗い箇所で電源を入れて懐中電灯として使用することもできる。
【図面の簡単な説明】
【００１３】
【図１】本考案の分解斜視図である。
【図２】本考案の使用状態を示す概略図１である。
【図３】本考案の使用状態を示す概略図２である。
【符号の説明】
【００１４】
１・・・・・・本体
１１・・・・・収容空間
１１１・・・・貫通孔
１２・・・・・止めリブ
１３・・・・・滑り通路
１４・・・・・仕切りブロック
１４１・・・・通路
２・・・・・・発光装置
２１・・・・・発光体
２１１・・・・端子
２１２・・・・端子
２２・・・・・電源体
３・・・・・・スイッチ
３１・・・・・ケース
３１１・・・・中空部
３１２・・・・矩形孔
３１３・・・・押えレバー
４・・・・・・カバー
４１・・・・・長孔
４１１・・・・突起
４１２・・・・制限空間
【図１】
0003117676.tif 000003
【図２】
0003117676.tif 000004
【図３】
0003117676.tif 000005